(57)【要約】【課題】部品点数を低減できる基板用コネクタを提供する。【解決手段】基板用コネクタ１は、基板に対して固定される絶縁性の筐体２と、筐体の内部において通信ケーブルの第一通信線と電気的に接続され、かつ筐体の外部において基板の回路に電気的に接続される第一端子５Ａと、筐体の内部において通信ケーブルの第二通信線と電気的に接続され、かつ筐体の外部において基板の回路に電気的に接続される第二端子と、を備え、筐体は、筐体の外壁部であり、基板に対して固定される本体部２０と、本体部の内方に配置され、かつ本体部と一体に形成されており、第一端子および第二端子を保持する端子保持部２１と、本体部と端子保持部との間に形成されたスリット部２６ａ，２６ｂを含み、第一端子および第二端子を囲むシールドシェル１０が挿入されるシェル保持部２６と、を有する。【選択図】図１４
2020043024.tif 000002
【特許請求の範囲】
【請求項１】
基板に対して固定される絶縁性の筐体と、
前記筐体の内部において通信ケーブルの第一通信線と電気的に接続され、かつ前記筐体の外部において前記基板の回路に電気的に接続される第一端子と、
前記筐体の内部において前記通信ケーブルの第二通信線と電気的に接続され、かつ前記筐体の外部において前記基板の回路に電気的に接続される第二端子と、
を備え、
前記筐体は、
前記筐体の外壁部であり、前記基板に対して固定される本体部と、
前記本体部の内方に配置され、かつ前記本体部と一体に形成されており、前記第一端子および前記第二端子を保持する端子保持部と、
前記本体部と前記端子保持部との間に形成されたスリット部を含み、前記第一端子および前記第二端子を囲むシールドシェルが挿入されるシェル保持部と、を有する
ことを特徴とする基板用コネクタ。
【請求項２】
更に、前記筐体を覆い、かつ前記基板に固定されて接地される導電性のアウターシールドを備え、
前記アウターシールドは、前記シールドシェルと接触するばね部を有する
請求項１に記載の基板用コネクタ。
【請求項３】
前記筐体は、相手方コネクタが挿入される収容空間を有し、
前記シェル保持部は、前記相手方コネクタの挿入方向に沿って前記収容空間に向けて開口している
請求項１または２に記載の基板用コネクタ。
【請求項４】
前記シールドシェルの挿入方向と直交する断面における前記シェル保持部の断面形状は、前記端子保持部を囲む枠形状であり、
前記シールドシェルは、前記シェル保持部に挿入されて前記端子保持部を囲む
請求項１から３の何れか１項に記載の基板用コネクタ。
【請求項５】
前記シェル保持部は、前記端子保持部と前記本体部とをつなぐストッパ部を有し、
前記シールドシェルは、前記ストッパ部によって係止されて位置決めされる
請求項１から４の何れか１項に記載の基板用コネクタ。
【発明の詳細な説明】
【技術分野】
【０００１】
本発明は、基板用コネクタに関する。
【背景技術】
【０００２】
従来、シールド機能を有する基板用コネクタがある。特許文献１には、内導体端子と、内導体端子の外周を覆う外導体端子と、内導体端子と外導体端子との間に配設される誘電体と、外導体端子を内部に収容して基板の板面に固定されるコネクタハウジングとを備えた基板用シールドコネクタの技術が開示されている。
【先行技術文献】
【特許文献】
【０００３】
【特許文献１】特開２０１２−２２８８５号公報
【発明の概要】
【発明が解決しようとする課題】
【０００４】
基板用コネクタにおいて、部品点数を低減できること、または部品を共通化できること、の少なくとも一方が望まれている。例えば、シールド機能の要否にかかわらず部品を共通化できれば、品番数の低減を実現できる。
【０００５】
本発明の目的は、部品点数を低減できる基板用コネクタを提供することである。本発明の他の目的は、シールド機能の要否にかかわらず部品を共通化できる基板用コネクタを提供することである。
【課題を解決するための手段】
【０００６】
本発明の基板用コネクタは、基板に対して固定される絶縁性の筐体と、前記筐体の内部において通信ケーブルの第一通信線と電気的に接続され、かつ前記筐体の外部において前記基板の回路に電気的に接続される第一端子と、前記筐体の内部において前記通信ケーブルの第二通信線と電気的に接続され、かつ前記筐体の外部において前記基板の回路に電気的に接続される第二端子と、を備え、前記筐体は、前記筐体の外壁部であり、前記基板に対して固定される本体部と、前記本体部の内方に配置され、かつ前記本体部と一体に形成されており、前記第一端子および前記第二端子を保持する端子保持部と、前記本体部と前記端子保持部との間に形成されたスリット部を含み、前記第一端子および前記第二端子を囲むシールドシェルが挿入されるシェル保持部と、を有することを特徴とする。
【発明の効果】
【０００７】
本発明に係る基板用コネクタは、基板に対して固定される絶縁性の筐体と、筐体の内部において通信ケーブルの第一通信線と電気的に接続され、かつ筐体の外部において基板の回路に電気的に接続される第一端子と、筐体の内部において通信ケーブルの第二通信線と電気的に接続され、かつ筐体の外部において基板の回路に電気的に接続される第二端子と、を備える。
【０００８】
筐体は、筐体の外壁部であり、基板に対して固定される本体部と、本体部の内方に配置され、かつ本体部と一体に形成されており、第一端子および第二端子を保持する端子保持部と、本体部と端子保持部との間に形成されたスリット部を含み、第一端子および第二端子を囲むシールドシェルが挿入されるシェル保持部と、を有する。本発明に係る基板用コネクタによれば、部品点数の低減、または部品の共通化、の少なくとも一方を実現できるという効果を奏する。
【図面の簡単な説明】
【０００９】
【図１】図１は、実施形態に係る基板用コネクタの斜視図である。
【図２】図２は、実施形態に係る基板用コネクタの平面図である。
【図３】図３は、実施形態に係る基板用コネクタの分解斜視図である。
【図４】図４は、実施形態に係るハウジングの背面図である。
【図５】図５は、実施形態に係るハウジングの斜視図である。
【図６】図６は、実施形態に係るシールドシェルの側面図である。
【図７】図７は、実施形態に係るケーブルコネクタの分解斜視図である。
【図８】図８は、実施形態に係るケーブルコネクタのメス端子を示す斜視図である。
【図９】図９は、実施形態に係る基板用コネクタの内部を示す斜視図である。
【図１０】図１０は、実施形態に係る基板用コネクタの内部における接続形態を示す斜視図である。
【図１１】図１１は、実施形態に係る基板用コネクタの内部における接続形態を示す他の斜視図である。
【図１２】図１２は、実施形態に係るシールドシェルの組み付けを説明する斜視図である。
【図１３】図１３は、実施形態に係る基板用コネクタの断面図である。
【図１４】図１４は、実施形態に係る基板用コネクタの他の断面図である。
【図１５】図１５は、実施形態に係るアウターシールドの組み付けを説明する斜視図である。
【発明を実施するための形態】
【００１０】
以下に、本発明の実施形態に係る基板用コネクタにつき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００１１】
［実施形態］
図１から図１５を参照して、実施形態について説明する。本実施形態は、基板用コネクタに関する。図１は、実施形態に係る基板用コネクタの斜視図、図２は、実施形態に係る基板用コネクタの平面図、図３は、実施形態に係る基板用コネクタの分解斜視図、図４は、実施形態に係るハウジングの背面図、図５は、実施形態に係るハウジングの斜視図、図６は、実施形態に係るシールドシェルの側面図、図７は、実施形態に係るケーブルコネクタの分解斜視図、図８は、実施形態に係るケーブルコネクタのメス端子を示す斜視図、図９は、実施形態に係る基板用コネクタの内部を示す斜視図である。
【００１２】
図１０は、実施形態に係る基板用コネクタの内部における接続形態を示す斜視図、図１１は、実施形態に係る基板用コネクタの内部における接続形態を示す他の斜視図、図１２は、実施形態に係るシールドシェルの組み付けを説明する斜視図、図１３は、実施形態に係る基板用コネクタの断面図、図１４は、実施形態に係る基板用コネクタの他の断面図、図１５は、実施形態に係るアウターシールドの組み付けを説明する斜視図である。図１３および図１４には、図１２のXIII−XIII断面位置における断面図が示されている。
【００１３】
図１乃至図３に示すように、本実施形態に係る基板用コネクタ１は、ハウジング２、ペグ４、端子５、シールドシェル１０、およびアウターシールド３０を有する。本実施形態の基板用コネクタ１は、通信ケーブル７と基板１００に配置された回路とを接続する。通信ケーブル７は、差動伝送用のケーブルであり、例えば、Ethernet(登録商標)ケーブルである。通信ケーブル７は、被覆７１に挿通された第一通信線７２Ａおよび第二通信線７２Ｂを有する（例えば、図７参照）。
【００１４】
基板用コネクタ１の説明において、基板用コネクタ１の軸方向を「第一方向Ｌ」と称する。基板用コネクタ１の幅方向を「第二方向Ｗ」と称する。第二方向Ｗは、後述する第一端子５Ａおよび第二端子５Ｂが配列される方向である。基板用コネクタ１の高さ方向を「第三方向Ｈ」と称する。第三方向Ｈは、第一方向Ｌおよび第二方向Ｗの何れとも直交する方向である。基板用コネクタ１は、第三方向Ｈの一方の面（底面）が基板１００と対向するように基板１００に対して固定される。ハウジング２から見て端子５が接続される側を第一方向Ｌの「前側」と称し、前側と反対側を「後側」と称する。通信ケーブル７の端部には、ケーブルコネクタ６が接続されている。ケーブルコネクタ６は、基板用コネクタ１に対して後側から接続される。
【００１５】
基板１００は、例えば、プリント基板である。基板１００は、その表面や内部に形成された回路を有する。また、本実施形態の基板１００は、通信回路を有する。通信回路は、基板１００に直接形成されていてもよく、通信機能を有するＩＣ（集積回路）等として基板１００に実装されていてもよい。図１および図２に示すように、基板１００は、第一導体１０１Ａ、第二導体１０１Ｂ、パッド１０２Ａ，１０２Ｂ、および接地導体１０３Ａ，１０３Ｂを有する。
【００１６】
第一導体１０１Ａおよび第二導体１０１Ｂは、第二方向Ｗに沿って隣接して配置されている。接地導体１０３Ａ，１０３Ｂは、第二方向Ｗにおいて第一導体１０１Ａおよび第二導体１０１Ｂを間に挟んで配置されている。第二方向Ｗに沿って、接地導体１０３Ａ、第一導体１０１Ａ、第二導体１０１Ｂ、接地導体１０３Ｂの順序で並んでいる。パッド１０２Ａ，１０２Ｂは、第一方向Ｌに沿って第一導体１０１Ａ、第二導体１０１Ｂ、および接地導体１０３Ａ，１０３Ｂとずらして配置されている。第一導体１０１Ａおよび第二導体１０１Ｂは、それぞれ基板１００の通信回路に接続されている。通信回路は、通信ケーブル７を介した通信を制御する。
【００１７】
ハウジング２は、基板用コネクタ１の筐体である。ハウジング２は、絶縁性の合成樹脂等で略直方体形状に形成されている。図４および図５に示すように、ハウジング２は、本体部２０、端子保持部２１、およびシェル保持部２６を有する。本体部２０は、ハウジング２の外壁部であり、ハウジング２の外殻をなしている。本実施形態の本体部２０は、角筒状に形成されている。本体部２０は、ペグ４によって基板１００に対して固定される。
【００１８】
端子保持部２１は、本体部２０の内方に配置され、かつ本体部２０と一体に形成されている。本実施形態の端子保持部２１の形状は、直方体形状または角筒形状である。端子保持部２１は、本体部２０の内部空間における前側に位置している。本体部２０の内部空間において、端子保持部２１よりも後側の部分は、ケーブルコネクタ６が挿入される収容空間２８である。ケーブルコネクタ６は、本体部２０の後端の開口部２０ａから第一方向Ｌに沿って収容空間２８に挿入される。
【００１９】
図４および図５に示すように、本実施形態のシェル保持部２６は、本体部２０と端子保持部２１との間に形成されている。言い換えると、シェル保持部２６は、端子保持部２１を囲んで形成されている。シェル保持部２６は、スリット状であり、本体部２０と端子保持部２１とを隔てている。本実施形態のシェル保持部２６は、角筒状であり、第一方向Ｌに沿って延在している。
【００２０】
シェル保持部２６は、第一スリット部２６ａ、第二スリット部２６ｂ、第三スリット部２６ｃ、および第四スリット部２６ｄ、およびストッパ部２６ｅを有する。第一スリット部２６ａ、第二スリット部２６ｂ、第三スリット部２６ｃ、および第四スリット部２６ｄは、互いに連通しながら端子保持部２１を囲んでおり、全体として角筒状の空間部を形成している。つまり、シェル保持部２６の断面形状は、略矩形の枠形状である。
【００２１】
第一スリット部２６ａおよび第二スリット部２６ｂは、第三方向Ｈにおける本体部２０と端子保持部２１との間に形成されている。第一スリット部２６ａは、端子保持部２１の頂面２１ｕと本体部２０との間の隙間である。頂面２１ｕは、端子保持部２１において、基板１００側とは反対側を向く面である。第二スリット部２６ｂは、端子保持部２１の底面２１ｄと本体部２０との間の隙間である。底面２１ｄは、端子保持部２１において、基板１００側を向く面である。第一スリット部２６ａは、端子保持部２１よりも前側の空間と、収容空間２８とを第一方向Ｌに沿って連通している。言い換えると、第一スリット部２６ａは、ハウジング２を第一方向Ｌに沿って貫通している。
【００２２】
第三スリット部２６ｃおよび第四スリット部２６ｄは、第二方向Ｗにおける本体部２０と端子保持部２１との間に形成されている。第三スリット部２６ｃは、端子保持部２１における一方の側面２１ｃと本体部２０との間の隙間である。第四スリット部２６ｄは、端子保持部２１における他方の側面２１ｄと本体部２０との間の隙間である。第三スリット部２６ｃは、端子保持部２１よりも前側の空間と、収容空間２８とを第一方向Ｌに沿って連通している。つまり、第三スリット部２６ｃおよび第四スリット部２６ｄは、ハウジング２を第一方向Ｌに沿って貫通している。
【００２３】
ストッパ部２６ｅは、本体部２０と端子保持部２１とをつないでいる。ストッパ部２６ｅは、第二スリット部２６ｂの前端に配置されている。つまり、ストッパ部２６ｅは、端子保持部２１の底面２１ｄと本体部２０の内側面とをつなぐ部分である。ストッパ部２６ｅは、シールドシェル１０がシェル保持部２６に挿入される際に、シールドシェル１０を係止してシールドシェル１０の位置決めをする。
【００２４】
第一スリット部２６ａ、第二スリット部２６ｂ、第三スリット部２６ｃ、および第四スリット部２６ｄは、収容空間２８に向けて開口している。つまり、シェル保持部２６は、第一方向Ｌに沿って収容空間２８に向けて開口している。第一方向Ｌは、ケーブルコネクタ６が挿入される挿入方向である。
【００２５】
端子保持部２１には、第一孔部２１Ａおよび第二孔部２１Ｂが形成されている。第一孔部２１Ａおよび第二孔部２１Ｂは、第一方向Ｌに沿って端子保持部２１を貫通している。つまり、第一孔部２１Ａおよび第二孔部２１Ｂは、端子保持部２１よりも前側の空間と、収容空間２８とを連通している。第一孔部２１Ａおよび第二孔部２１Ｂは、第二方向Ｗに沿って並んでいる。
【００２６】
図３に示すように、端子５は、第一端子５Ａおよび第二端子５Ｂを有する。第一端子５Ａおよび第二端子５Ｂは、第一接続部５１、第二接続部５２、および中間部５３を有する。第一接続部５１、第二接続部５２、および中間部５３は、銅等の導電性の金属によって一体に形成されている。端子５は、平板状に形成された後に折り曲げられて図３に示す屈曲した形状とされる。第一接続部５１は、端子５の一端部であり、第二接続部５２は、端子５の他端部である。中間部５３は、第一接続部５１と第二接続部５２との間の部分である。第一接続部５１および第二接続部５２は、中間部５３に対して直交するように折れ曲がっている。第一接続部５１および第二接続部５２は、中間部５３に対して互いに逆方向に向けて折れ曲がっている。
【００２７】
第一端子５Ａの第一接続部５１は、ハウジング２の第一孔部２１Ａに挿入される。第二端子５Ｂの第一接続部５１は、ハウジング２の第二孔部２１Ｂに挿入される。図１および図２に示すように、第一端子５Ａの第二接続部５２は、基板１００の第一導体１０１Ａに接続される。第二端子５Ｂの第二接続部５２は、第二導体１０１Ｂに接続される。第二接続部５２は、例えば、半田によって導体１０１Ａ，１０１Ｂに対して固定される。
【００２８】
シールドシェル１０は、ハウジング２に対して後側から挿入され、ハウジング２によって保持される。シールドシェル１０は、例えば、導電性を有する金属によって形成されている。シールドシェル１０は、平板状に形成された後に折り曲げ加工によって筒状に形成される。本実施形態のシールドシェル１０の形状は、断面形状が矩形の筒型形状である。
【００２９】
図３および図６に示すように、シールドシェル１０は、筒状の本体１１と、前壁１２とを有する。本体１１は、頂壁１１ａ、底壁１１ｂ、および一対の側壁１１ｃを有する。頂壁１１ａと底壁１１ｂとは第三方向Ｈにおいて互いに対向している。一対の側壁１１ｃは、第二方向Ｗにおいて互いに対向している。ハウジング２に対して組み付けられる前の状態では、頂壁１１ａと前壁１２とが第一方向Ｌに沿って連続した平板をなしている。つまり、前壁１２は、頂壁１１ａの前端から第一方向Ｌに向けて延出している。前壁１２における第二方向Ｗの側面には、突起１２ａが形成されている。突起１２ａは、前壁１２における両側の側面に配置されている。各側壁１１ｃには、突起１２ａに対応する貫通孔１１ｄが形成されている。貫通孔１１ｄは、側壁１１ｃの前端部に配置されている。
【００３０】
本実施形態のシールドシェル１０では、頂壁１１ａおよび側壁１１ｃに対して、底壁１１ｂが短い。側壁１１ｃは、頂壁１１ａおよび底壁１１ｂよりも前側に突出している。底壁１１ｂの前端１１ｅは、頂壁１１ａの前端１１ｆよりも後側に位置している。
【００３１】
図３に示すように、シールドシェル１０の本体１１は、ばね部１３を有する。ばね部１３は、本体１１の内部空間に向けて湾曲した板ばねである。ばね部１３は、頂壁１１ａおよび側壁１１ｃに設けられている。ばね部１３は、ケーブルコネクタ６のシールド部材９に対して電気的に接触する。ケーブルコネクタ６が基板用コネクタ１に挿入されると、ばね部１３がシールド部材９の前側部分９ｆと接触する。シールドシェル１０は、ばね部１３を介してシールド部材９と電気的に接続される。
【００３２】
ペグ４は、例えば、導電性を有する金属によって形成されている。図２および図３に示すように、本実施形態の基板用コネクタ１は、ペグ４として、第一ペグ４Ａおよび第二ペグ４Ｂを有する。本実施形態のペグ４の形状は、略矩形である。図３に示すように、ペグ４は、本体４０、圧入部４１、および接続部４２を有する。本体４０、圧入部４１、および接続部４２は、一体に形成されている。
【００３３】
本体４０は、矩形の平板状の構成部である。接続部４２は、本体４０の一端に形成された部分であり、パッド１０２Ａ，１０２Ｂに対して固定される。接続部４２は、断面形状が略Ｕ字形状となるように折り返されている。第一ペグ４Ａの接続部４２は、一方のパッド１０２Ａに対して半田等によって固定される。第二ペグ４Ｂの接続部４２は、他方のパッド１０２Ｂに対して半田等によって固定される。圧入部４１，４１は、本体４０における接続部４２とは反対側の端部に配置されている。圧入部４１，４１は、接続部４２の延在方向に沿って両側に突出している。すなわち、一対の圧入部４１，４１は、本体４０から第一方向Ｌに沿って互いに反対の方向に向けて突出している。
【００３４】
アウターシールド３０は、例えば、導電性を有する金属によって形成されている。図３に示すように、アウターシールド３０は、頂壁３１、前壁３２、および一対の側壁３３，３３を有する。頂壁３１、前壁３２、および側壁３３，３３は、一体に形成されている。頂壁３１は、ハウジング２の頂面２ｃを覆う壁部である。前壁３２は、ハウジング２の前面２ｆを覆う壁部である。側壁３３，３３は、ハウジング２の側面２ａ，２ｂを覆う壁部である。
【００３５】
前壁３２および側壁３３，３３は、頂壁３１に対して実質的に直交するように折れ曲がっている。側壁３３，３３は、第二方向Ｗにおいて互いに対向する。前壁３２は、側壁３３，３３と実質的に直交している。前壁３２には、一対のばね部３４が形成されている。一対のばね部３４は、第二方向Ｗに沿って並んで配置されている。ばね部３４は、シールドシェル１０の前壁１２に接触する接点部３４ａを有する。ばね部３４は、片持ち状に形成された板ばねであり、後側に向けてわずかに傾斜している。接点部３４ａは、後側に向けて湾曲している。前壁３２の先端には、一対の脚部３７Ａ，３７Ｂが形成されている。一対の脚部３７Ａ，３７Ｂは、第二方向Ｗに沿って並んで配置されている。脚部３７Ａ，３７Ｂは、前壁３２から前側に向けて突出している。
【００３６】
側壁３３，３３には、ペグ４および保持部２４，２５と対応する位置に切り欠き部３５が形成されている。切り欠き部３５の形状は、例えば、矩形である。側壁３３，３３には、一対のばね部３６が形成されている。一対のばね部３６は、第一方向Ｌに沿って並んで配置されている。ばね部３６は、ペグ４に接触する接点部３６ａを有する。ばね部３６は、片持ち状に形成された板ばねであり、頂壁３１から遠ざかる方向に向けて切り欠き部３５から突出している。接点部３６ａは、アウターシールド３０の内側に向けて湾曲している。
【００３７】
ハウジング２の側面２ａ，２ｂには、凹部２７が形成されている。アウターシールド３０の側壁３３，３３は、凹部２７と係合する凸部３８を有する。アウターシールド３０は、第三方向Ｈに沿ってハウジング２に対して相対移動しながらハウジング２に組み付けられる。ハウジング２の凹部２７に対してアウターシールド３０の凸部３８が係合することでハウジング２に対するアウターシールド３０の装着が完了する。ハウジング２に対してアウターシールド３０が装着されると、アウターシールド３０は、ばね部３４を介してシールドシェル１０と電気的に接続される。また、アウターシールド３０は、ばね部３６を介してペグ４と電気的に接続される。
【００３８】
図３に示すように、通信ケーブル７の一端にはケーブルコネクタ６が取り付けられている。ケーブルコネクタ６は、後述するように、メス端子８２Ａ，８２Ｂ（図８参照）を内部に有する雌コネクタである。図７に示すように、ケーブルコネクタ６は、アウターハウジング３、インナーハウジング８、およびシールド部材９を有する。アウターハウジング３およびインナーハウジング８は、絶縁性の合成樹脂等で形成されている。インナーハウジング８は、断面形状が略矩形の筒状に形成されている。インナーハウジング８の前面には、第一孔部８５Ａおよび第二孔部８５Ｂが形成されている。第一孔部８５Ａおよび第二孔部８５Ｂは、外部空間とインナーハウジング８の内部空間とを連通している。
【００３９】
図８に示すように、インナーハウジング８には、第一メス端子８２Ａおよび第二メス端子８２Ｂが挿入されている。本実施形態の第一メス端子８２Ａおよび第二メス端子８２Ｂは、同一の形状を有するメス型の端子である。メス端子８２Ａ，８２Ｂは、銅等の導電性の金属によって形成されている。第一メス端子８２Ａは、第一通信線７２Ａに接続され、第二メス端子８２Ｂは、第二通信線７２Ｂに接続されている。メス端子８２Ａ，８２Ｂは、接続部８３および加締め部８４を有する。接続部８３は、角筒状に形成されており、端子５を受け入れる。加締め部８４は、通信線７２Ａ，７２Ｂの被覆および芯線に対して加締められる。メス端子８２Ａ，８２Ｂは、加締め部８４において通信線７２Ａ，７２Ｂの芯線に対して電気的に接続されている。端子５の第一接続部５１は、接続部８３に挿入されて接続部８３と電気的に接続される（図１１参照）。
【００４０】
図７に示すように、シールド部材９は、本体９０およびカバー９３を有する。本体９０およびカバー９３は、例えば、導電性の金属によって形成されている。本体９０は、加締め部９１および保持部９２を有する。保持部９２は、加締め部９１と一体に形成されている。保持部９２は、角形の半筒形状に形成されており、インナーハウジング８と係合する。加締め部９１は、保持部９２の後端につながっている。カバー９３は、角形の半筒形状に形成されている。
【００４１】
カバー９３は、保持部９２と組み合わされて角筒形状のシールド部を形成する。カバー９３の後端には、半筒部９３ａが形成されている。半筒部９３ａは、加締め部９１と共に、被覆７１の末端に対して加締められる。加締め部９１と被覆７１との間には、通信ケーブル７の編組７３が挟み込まれる。編組７３は、複数の編組線が交差状に編み込まれた筒状の導体であり、第一通信線７２Ａおよび第二通信線７２Ｂを覆っている。編組７３は、末端部において外側に折り返されており、被覆７１を覆っている。シールド部材９は、加締め部９１において編組７３に対して電気的に接続される。なお、編組７３と被覆７１との間には、リング形状のスリーブが配置されている。加締め部９１は、スリーブとの間に編組７３を挟み込むようにして加締められる。
【００４２】
アウターハウジング３は、筒状に形成されており、両端が開放している。本実施形態のアウターハウジング３の形状は、断面形状が矩形の筒形状である。アウターハウジング３は、ロックアーム３ｂを有する。ロックアーム３ｂは、後端が自由端である片持ち状のアーム部である。ロックアーム３ｂには、ハウジング２と係合する係合爪３ａが形成されている。ロックアーム３ｂの後端には、操作部３ｃが設けられている。作業者は、操作部３ｃを押し下げることにより、ロックアーム３ｂとハウジング２との係合を解除することができる。シールド部材９は、アウターハウジング３に対して後側から挿入され、アウターハウジング３と係合する。
【００４３】
ケーブルコネクタ６は、基板用コネクタ１に対して後側から接続される。ケーブルコネクタ６のシールド部材９は、基板用コネクタ１の内部においてシールドシェル１０と接続する。図９には、シールドシェル１０とシールド部材９との接続状態が示されている。シールド部材９の前側部分は、シールドシェル１０の本体１１に対して嵌合している。シールドシェル１０は、第一端子５Ａおよび第二端子５Ｂを覆っている。端子５は、シールドシェル１０の前壁１２によって前側から覆われている。また、端子５は、シールドシェル１０の側壁１１ｃによって第二方向Ｗの両側から覆われている。また、端子５は、シールドシェル１０の頂壁１１ａによって基板１００とは反対側から覆われている。シールド部材９は、シールドシェル１０と共に、筒状のシールドユニットを構成している。このシールドユニットは、端子５と通信ケーブル７との電気的な接続部を覆っている。
【００４４】
図１０には、端子５とケーブルコネクタ６との接続状態が示されている。端子５の第一接続部５１は、インナーハウジング８の第一孔部８５Ａおよび第二孔部８５Ｂに挿入されている。端子５は、インナーハウジング８の内部において、図１１に示すように第一メス端子８２Ａおよび第二メス端子８２Ｂと電気的に接続される。
【００４５】
図３および図１２から図１５を参照して、基板用コネクタ１の組み立て順序について説明する。図３を参照して、まず、ハウジング２に対してペグ４が組み付けられる。第一ペグ４Ａおよび第二ペグ４Ｂは、第三方向Ｈに沿ってハウジング２に取り付けられる。第一ペグ４Ａは、ハウジング２の一方の側面２ａに取り付けられ、第二ペグ４Ｂは、ハウジング２の他方の側面２ｂに取り付けられる。
【００４６】
本実施形態では、ハウジング２に対してペグ４の圧入部４１が圧入される。ハウジング２の側面２ａ，２ｂには、それぞれ圧入部４１を保持する保持部２４，２５が形成されている。保持部２４，２５は、第一方向Ｌにおいて、接続部４２が通過可能な隙間をあけて配置されている。保持部２４，２５は、それぞれ溝２４ａ，２５ａを有する。保持部２４の溝部２４ａと、保持部２５の溝部２５ａとは第一方向Ｌにおいて互いに対向している。ペグ４の圧入部４１，４１は、第三方向Ｈに沿ってスライドしながら溝２４ａ，２５ａに圧入される。
【００４７】
ハウジング２にペグ４Ａ，４Ｂが取り付けられると、次に端子５がハウジング２に組み付けられる。端子５は、中間部５３が第三方向Ｈに沿って延在する姿勢でハウジング２に対して組み付けられる。このときに、第一接続部５１は、中間部５３から第一方向Ｌに沿って後側に向けて延在している。第二接続部５２は、中間部５３から第一方向Ｌに沿って前側に向けて延在している。第一接続部５１は、ハウジング２の端子保持部２１に形成されている孔部２１Ａ，２１Ｂに対して挿入される。二つの孔部２１Ａ，２１Ｂは、第二方向Ｗに沿って並んで配置されている。第一端子５Ａの第一接続部５１は、第一孔部２１Ａに圧入され第一孔部２１Ａによって保持される。第二端子５Ｂの第一接続部５１は、第二孔部２１Ｂに圧入され、第二孔部２１Ｂによって保持される。
【００４８】
ハウジング２に端子５が取り付けられると、図１２に示すようにシールドシェル１０がハウジング２に組み付けられる。シールドシェル１０は、前壁１２を先頭にしてハウジング２に挿入される。シールドシェル１０は、開口部２０ａ（図５参照）からハウジング２に挿入され、シェル保持部２６に挿入される。より具体的には、図１３に示すように、シールドシェル１０の前壁１２および頂壁１１ａは、シェル保持部２６の第一スリット部２６ａに挿入される。底壁１１ｂは、第二スリット部２６ｂに挿入される。側壁１１ｃ，１１ｃは、第三スリット部２６ｃおよび第四スリット部２６ｄ（図４参照）にそれぞれ挿入される。
【００４９】
図１３に示すように、シールドシェル１０は、底壁１１ｂがストッパ部２６ｅに当接する位置までシェル保持部２６に挿入される。ストッパ部２６ｅは、底壁１１ｂを係止して第一方向Ｌにおいてシールドシェル１０を位置決めする。本実施形態のハウジング２は、図４等に示すように、複数の凸部２０ｂを有する。凸部２０ｂは、本体部２０からシェル保持部２６に向けて突出しており、第一方向Ｌに沿って延在している。図１３に示すように、凸部２０ｂはシールドシェル１０に接触してシールドシェル１０を保持し、第二方向Ｗおよび第三方向Ｈにおいてシールドシェル１０を位置決めする。
【００５０】
シールドシェル１０がストッパ部２６ｅによって位置決めされた状態において、シールドシェル１０の前壁１２、および本体１１の一部は、シェル保持部２６からハウジング２の外部に突出する。より詳しくは、前壁１２および頂壁１１ａの一部は、第一スリット部２６ａから前側に向けて突出する。また、側壁１１ｃの前端部は、第三スリット部２６ｃおよび第四スリット部２６ｄから前側に向けて突出する。
【００５１】
第一スリット部２６ａから突出した前壁１２は、図１３に矢印Ｙ１で示すように頂壁１１ａに対して折り曲げられる。本実施形態の前壁１２は、図１２および図１３に示すように、本体１２ｂおよび一対のヒンジ部１２ｃを有する。本体１２ｂは、端子５を覆う覆い部であり、矩形に形成されている。ヒンジ部１２ｃは、本体１２ｂと頂壁１１ａとをつなぐ板状の構成部である。一対のヒンジ部１２ｃは、第二方向Ｗに沿って並んでいる。前壁１２は、ヒンジ部１２ｃにおいて折り曲げられる。
【００５２】
本実施形態では、ヒンジ部１２ｃは、図１４に示すように、本体１２ｂと頂壁１１ａとが直交するように折り曲げられる。ヒンジ部１２ｃが折り曲げられたことにより、本体１２ｂは、第一方向Ｌにおいて端子５と対向し、端子５を前側から覆う（図１５参照）。前壁１２の突起１２ａは、側壁１１ｃの貫通孔１１ｄに係合する。
【００５３】
図１５に示すように、前壁１２の本体１２ｂは、一対の側壁１１ｃと共に端子５を囲む壁を形成する。前壁１２の本体１２ｂは、第一方向Ｌにおいて端子５の中間部５３と対向し、中間部５３を前側から覆う。側壁１１ｃは、第二方向Ｗにおいて中間部５３と対向し、中間部５３を側方から覆う。前壁１２の本体１２ｂおよび側壁１１ｃによって端子５のうちハウジング２の外部に露出した部分が囲まれることで、基板用コネクタ１のシールド性が向上する。
【００５４】
シールドシェル１０がハウジング２に取り付けられると、図１５に示すようにアウターシールド３０がハウジング２に対して組み付けられる。図１に示すように、アウターシールド３０の側壁３３は、ペグ４、および保持部２４，２５を露出させながらハウジング２を覆う。これにより、側壁３３とハウジング２の側面２ａ，２ｂとの距離を小さくしてアウターシールド３０のシールド性を向上させることができる。また、ハウジング２において、側壁３３の切り欠き部３５に対応する領域は、ペグ４によってシールドされる。よって、アウターシールド３０およびペグ４により、ハウジング２の側面の略全域がシールドされる。
【００５５】
ハウジング２に対してアウターシールド３０が装着されると、基板用コネクタ１が完成する。基板用コネクタ１は、基板１００に対して取り付けられる。基板用コネクタ１は、図１に示すように、第一端子５Ａの第二接続部５２が基板１００の第一導体１０１Ａと対向し、第二端子５Ｂの第二接続部５２が第二導体１０１Ｂと対向するように基板１００に載置される。また、基板用コネクタ１は、第一ペグ４Ａおよび第二ペグ４Ｂが基板１００のパッド１０２Ａ，１０２Ｂとそれぞれ対向し、かつアウターシールド３０の脚部３７Ａ，３７Ｂが接地導体１０３Ａ，１０３Ｂとそれぞれ対向するように載置される。
【００５６】
第一端子５Ａおよび第二端子５Ｂの第二接続部５２は、第一導体１０１Ａおよび第二導体１０１Ｂに対して物理的にかつ電気的に接続される。アウターシールド３０の脚部３７Ａ，３７Ｂは、接地導体１０３Ａ，１０３Ｂに対して物理的にかつ電気的に接続される。第一ペグ４Ａおよび第二ペグ４Ｂの接続部４２は、パッド１０２Ａ，１０２Ｂに対して物理的に接続され、パッド１０２Ａ，１０２Ｂに固定される。
【００５７】
本実施形態のハウジング２では、本体部２０と、端子保持部２１とが一体である。本体部２０は、ハウジング２の外殻であり、ケーブルコネクタ６と嵌合する嵌合部である。端子保持部２１は、端子５を保持する保持体であり、端子５とシールドシェル１０との間に配置される誘電体である。本体部２０と端子保持部２１とが一体に形成されていることで、基板用コネクタ１における部品数の低減が実現される。
【００５８】
また、本実施形態のハウジング２は、シールド機能が必要な場合、およびシールド機能が不要な場合の両方に対応できる。シールド機能が必要な場合には、ハウジング２に対してシールドシェル１０およびアウターシールド３０が取り付けられる。一方、シールド機能が不要な場合、基板用コネクタ１においてシールドシェル１０およびアウターシールド３０が省略される。よって、本実施形態の基板用コネクタ１は、異なる仕様（シールド機能の要否）にかかわらず同じハウジング２を用いることができ、部品を共通化することができる。
【００５９】
本実施形態のハウジング２では、ストッパ部２６ｅによって本体部２０と端子保持部２１とがつながっている。本体部２０と端子保持部２１とをつなぐ接続部をストッパ部２６ｅとして機能させることで、構成の簡素化が実現される。
【００６０】
また、第一スリット部２６ａ、第三スリット部２６ｃ、および第四スリット部２６ｄが第一方向Ｌに沿ってハウジング２を貫通していることで、端子５を囲むシールド壁が形成可能となる。本実施形態では、ハウジング２に対してシールドシェル１０を組み付ける際に、前壁１２および頂壁１１ａが第一スリット部２６ａに挿通され、一対の側壁１１ｃ，１１ｃが第三スリット部２６ｃおよび第四スリット部２６ｄに挿通される。その後に、前壁１２が折り曲げられ、前壁１２および一対の側壁１１ｃによって端子５を囲むシールド壁が形成される。つまり、ハウジング２を貫通している三つのスリット部２６ａ，２６ｃ，２６ｄにシールドシェル１０の三つの壁１１ａ，１１ｃ，１１ｃを挿通させることによって、端子５を前側、側方、および上側から囲むシールド壁が形成される。
【００６１】
更に、本実施形態のハウジング２では、第四スリット部２６ｄにストッパ部２６ｅが配置されている。ストッパ部２６ｅは、端子保持部２１と本体部２０とをつないでいる。よって、本実施形態の基板用コネクタ１では、本体部２０と端子保持部２１とが一体である一体構造を実現しつつ、筒状のシールドシェル１０をハウジング２に組み付け可能となっている。
【００６２】
以上説明したように、本実施形態の基板用コネクタ１は、筐体としてのハウジング２と、第一端子５Ａと、第二端子５Ｂと、を備える。基板用コネクタ１は、更に、シールドシェル１０を含んでいてもよい。ハウジング２は、基板１００に対して固定される絶縁性の部材である。第一端子５Ａは、ハウジング２の内部において通信ケーブル７の第一通信線７２Ａと電気的に接続され、かつハウジング２の外部において基板１００の回路に電気的に接続される。第二端子５Ｂは、ハウジング２の内部において通信ケーブル７の第二通信線７２Ｂと電気的に接続され、かつハウジング２の外部において基板１００の回路に電気的に接続される。
【００６３】
ハウジング２は、本体部２０と、端子保持部２１と、シェル保持部２６と、を有する。本体部２０は、ハウジング２の外壁であり、基板１００に対して固定される。端子保持部２１は、本体部２０の内方に配置され、かつ本体部２０と一体に形成されている。端子保持部２１は、第一端子５Ａおよび第二端子５Ｂを保持する。シェル保持部２６は、本体部２０と端子保持部２１との間に形成されたスリット部を含む。シェル保持部２６には、第一端子５Ａおよび第二端子５Ｂを囲むシールドシェル１０が挿入される。
【００６４】
本実施形態のハウジング２は、シールドシェル１０が挿入されるシェル保持部を有しつつ、端子保持部２１と本体部２０とが一体に形成されている。よって、本実施形態の基板用コネクタ１は、部品点数の低減を可能とする。
【００６５】
本実施形態の基板用コネクタ１は、更に、導電性のアウターシールド３０を有する。アウターシールド３０は、ハウジング２を覆い、かつ基板１００に固定されて接地される。アウターシールド３０は、シールドシェル１０と接触するばね部３４を有する。本実施形態の基板用コネクタ１は、アウターシールド３０によってシールド性を向上させることができる。また、アウターシールド３０を介してシールドシェル１０を接地させることができる。
【００６６】
本実施形態のハウジング２は、ケーブルコネクタ６が挿入される収容空間２８を有する。シェル保持部２６は、ケーブルコネクタ６の挿入方向に沿って収容空間２８に向けて開口している。よって、本実施形態の基板用コネクタ１では、シールドシェル１０を収容空間２８側からシェル保持部２６に挿入することができる。つまり、収容空間２８は、シールドシェル１０がハウジング２に対して組み付けられる際にはシールドシェル１０の通路として機能し、ケーブルコネクタ６が接続される際にはケーブルコネクタ６と嵌合する嵌合部として機能する。
【００６７】
本実施形態の基板用コネクタ１では、シールドシェル１０の挿入方向と直交する断面におけるシェル保持部２６の断面形状は、端子保持部２１を囲む枠形状である。シールドシェル１０は、シェル保持部２６に挿入されて端子保持部２１を囲む。よって、本実施形態の基板用コネクタ１では、シールドシェル１０によって第一端子５Ａおよび第二端子５Ｂを全周にわたって囲むことができる。
【００６８】
本実施形態のシェル保持部２６は、端子保持部２１と本体部２０とをつなぐストッパ部２６ｅを有する。シールドシェル１０は、ストッパ部２６ｅによって係止されて位置決めされる。ストッパ部２６ｅは、端子保持部２１と本体部２０とをつなぐ接続部としての機能と、シールドシェル１０を位置決めする機能とを有する。よって、端子保持部２１と本体部２０との一体構造と、ハウジング２の簡素化とが両立される。
【００６９】
［実施形態の変形例］
実施形態の変形例について説明する。ハウジング２の各部の形状や配置は、例示した形状や配置には限定されない。例えば、端子保持部２１の断面形状は、矩形には限定されない。端子保持部２１の断面形状は、矩形以外の多角形や、円形等であってもよい。シェル保持部２６の断面形状は、端子保持部２１の形状に応じて適宜定められる。つまり、シェル保持部２６の断面形状は、端子保持部２１を囲む枠形状であればよく、矩形には限定されない。
【００７０】
上記の実施形態および変形例に開示された内容は、適宜組み合わせて実行することができる。
【符号の説明】
【００７１】
１  基板用コネクタ
２  ハウジング
２ａ，２ｂ：側面、  ２ｃ：頂面、  ２ｆ：前面
３  アウターハウジング
３ａ：係合爪、  ３ｂ：ロックアーム
４  ペグ
４Ａ：第一ペグ、  ４Ｂ：第二ペグ
５  端子
５Ａ：第一端子、  ５Ｂ：第二端子
６  ケーブルコネクタ
７  通信ケーブル
８  インナーハウジング
９  シールド部材
９ｆ  前側部分
１０  シールドシェル
１１  本体
１１ａ：頂壁、  １１ｂ：底壁、  １１ｃ：側壁、  １１ｄ：貫通孔、  １１ｅ，１１ｆ：前端
１２  前壁
１２ａ：突起、  １２ｂ：本体、  １２ｃ：ヒンジ部
１３  ばね部
２０  本体部
２０ａ：開口部、  ２０ｂ：リブ
２１  端子保持部
２１ｃ，２１ｄ  側面
２１ｄ底面
２１ｕ  頂面
２１Ａ  第一孔部
２１Ｂ  第二孔部
２４，２５  保持部
２４ａ，２５ａ  溝
２６  シェル保持部
２６ａ：第一スリット部、  ２６ｂ：第二スリット部、  ２６ｃ：第三スリット部、  ２６ｄ：第四スリット部、  ２６ｅ：ストッパ部
２７  凹部
２８  収容空間
３０  アウターシールド
３１  頂壁
３２  前壁
３３  側壁
３４  ばね部
３５  切り欠き部
３６  ばね部
３７Ａ，３７Ｂ  脚部
４０  本体
４１  圧入部
４２  接続部
５１  第一接続部
５２  第二接続部
５３  中間部
７１  被覆
７２Ａ  第一通信線
７２Ｂ  第二通信線
８２Ａ  第一メス端子
８２Ｂ  第二メス端子
８３  端子部
８４  加締め部
８５Ａ  第一孔部
８５Ｂ  第二孔部
９０  本体
９１  加締め部
９２  保持部
９３  カバー
１００  基板
１０１Ａ  第一導体
１０１Ｂ  第二導体
１０２Ａ，１０２Ｂ  パッド
１０３Ａ，１０３Ｂ  接地導体
【図１】
2020043024.tif 000003
【図２】
2020043024.tif 000004
【図３】
2020043024.tif 000005
【図４】
2020043024.tif 000006
【図５】
2020043024.tif 000007
【図６】
2020043024.tif 000008
【図７】
2020043024.tif 000009
【図８】
2020043024.tif 000010
【図９】
2020043024.tif 000011
【図１０】
2020043024.tif 000012
【図１１】
2020043024.tif 000013
【図１２】
2020043024.tif 000014
【図１３】
2020043024.tif 000015
【図１４】
2020043024.tif 000016
【図１５】
2020043024.tif 000017